(57)【特許請求の範囲】
【請求項１】
バラストを介して給電されるように構成されるランプのためのフィラメント回路であって、前記フィラメント回路は、
前記バラストの第１のバラスト出力に結合されるように構成される第１のフィラメント入力と、
前記バラストの第２のバラスト出力に結合するように構成される第２のフィラメント入力と、
インダクタを有する第１の回路と、
抵抗及びコンデンサの並列コンフィギュレーションを有する第２の回路と、
前記第１のフィラメント入力と前記第２のフィラメント入力との間の直流経路であって、前記第１及び第２の回路の直列コンフィギュレーションが前記直流経路を有している、直流経路と、
前記ランプの光源を駆動するドライバのドライバ入力に結合されるように構成される１つのみであるフィラメント出力と、
を有し、
前記フィラメント出力は
ａ）前記第１のフィラメント入力から、
ｂ）前記第２のフィラメント入力から、又は
ｃ）前記第１の回路と前記第２の回路との間の接合から
直接的に得られる、
フィラメント回路。
【請求項２】
請求項１に記載の前記フィラメント回路を有する装置であって、前記ドライバを更に有し、前記フィラメント出力が前記ドライバ入力に結合されている、装置。
【請求項３】
請求項２に記載の装置であって、前記フィラメント回路が第１のフィラメント回路であり、前記装置は、第２のフィラメント回路を更に有し、前記第２のフィラメント回路は、
−  前記バラストの第３のバラスト出力に結合されるように構成される第３のフィラメント入力と、
−  前記バラストの第４のバラスト出力に結合されるように構成される第４のフィラメント入力と、
−  更なるインダクタを有する第３の回路と、
−  抵抗とコンデンサとの更なる並列コンデンサを有する第４の回路と、
−  前記第３のフィラメント入力と前記第４のフィラメント入力との間の更なる直流経路であって、前記第３の回路及び前記第４の回路の直列コンフィギュレーションが前記更なる直流経路を有する、更なる直流経路と、
−  前記ドライバの更なるドライバ入力に結合される更なるフィラメント出力であって、前記更なるフィラメント出力は、
ａ'）前記第３のフィラメント入力から、
ｂ'）前記第４のフィラメント入力から、又は
ｃ'）前記第１の回路と前記第２の回路との間の接合から、
直接的に得られる、更なるフィラメント出力と、
を有する装置。
【請求項４】
請求項２に記載の装置を有するランプであって、前記光源を更に有するランプ。
【請求項５】
請求項４に記載のランプであって、前記光源は発光ダイオード回路を有する、ランプ。
【発明の詳細な説明】
【技術分野】
【０００１】
本発明は、バラストを介して給電されるように構成されたランプのためのフィラメント回路に関する。本発明は、更に、このようなフィラメント回路を有する装置、及びこのようなフィラメント回路を有するランプに関する。
【０００２】
このような装置の例は、駆動装置である。このようなランプの例は、蛍光管を交換するためのレトロフィット管である。
【背景技術】
【０００３】
米国特許出願公開第２０１２／０３０６４０３号は、非直流電流ランプ器具内の直流電流ランプに給電するための駆動回路を開示している。この駆動回路は、各々が２つの直列抵抗器又は２つの直列コイルからなる２つのフィラメント回路を有する。米国特許出願公開第２０１４０３５４６３号及び米国特許出願公開第２０１４２２５５２０号は、２つの入力ピン間で直列に接続された２つの並列ＲＣ回路を備えるフィラメント回路を開示しており、前記２つのＲＣ回路の相互接続はフィラメント回路の出力である。米国特許出願公開第２０１４２２５５２０号及びドイツ国実用新案第２０２０１３０００８８０号は、２つの入力ピン間に接続された１つの並列ＲＣ回路を備えるフィラメント回路を開示しており、前記入力ピンは直接的に前記フィラメント回路の出力である。
【発明の概要】
【発明が解決しようとする課題】
【０００４】
従来技術の米国特許出願公開第２０１４０３５４６３号及び米国特許出願公開第２０１４２２５５２０号において、電力損失は、電流が抵抗器を流れるので、高い。従来技術の米国特許出願公開第２０１４２２５５２０号及びドイツ国実用新案第２０２０１３０００８８０号において、ＨＦ電流は、前記コンデンサが前記ＨＦ電流を短絡するために非常に大きく、このような大きい電流はバラストに損傷を与え得る。
【０００５】
本発明の目的は、改善されたフィラメント回路を提供することにある。更なる目的は、装置及びランプを提供することにある。
【課題を解決するための手段】
【０００６】
第１の見地によれば、ランプのためのフィラメント回路であって、当該ランプは、バラストを介して給電されるように構成されており、
−  バラストの第１のバラスト出力に結合されるように構成される第１のフィラメント入力と、
−  バラストの第２のバラスト出力に結合されるように構成される第２のフィラメント入力と、
−  抵抗構成要素を有する第１の回路と、
−  リアクタンス構成要素を有している第２の回路と、
−  第１のフィラメント入力と第２のフィラメント入力と間の直流経路であって、前記第１及び第２の回路の直列コンフィギュレーションが前記直流経路を有する、直流経路と、
−  ランプの光源を駆動するドライバのドライバ入力に結合されるように構成されるフィラメント出力であって、前記フィラメント出力は、第１のフィラメント入力から、第２のフィラメント入力から又は第１及び第２の回路間の相互接続から得られる、フィラメント入力と、
を有する前記フィラメント回路が、提供される。
【０００７】
前記フィラメント回路は、例えば、電子バラストのような、バラストの第１及び第２のバラスト出力に結合されるように構成される第１及び第２のフィラメント入力を有する。フィラメント回路は、更に第１の回路及び第２の回路を有する。この第１の回路は、抵抗構成要素を有する。この第２の回路は、リアクタンス構成要素を有する。フィラメント回路は、更に、第１のフィラメント入力と第２のフィラメント入力と間の直流経路を有する。第１及び第２の回路の直列コンフィギュレーションは、この直流経路を有する。つまり、第１及び第２の回路は、第１及び第２のフィラメント入力間で互いに直列に結合され、直流経路がこれらの第１及び第２の回路を介して存在する。フィラメント回路は、更に、ランプの光源を駆動するためのドライバのドライバ入力に結合されるように構成されるフィラメント出力を有する。このフィラメント出力は、第１のフィラメント入力から又は第２のフィラメント入力から直接的に得られる。従って、このフィラメント出力は、第１のフィラメント入力又は第２のフィラメント入力と対応する。つまり、フィラメント出力は、例えば、第１のフィラメント入力によって又は第２のフィラメント入力によって形成される。更に他の言葉において、前記フィラメント出力は、例えば、第１のフィラメント入力又は第２のフィラメント入力を有することができ、又は逆もまた同じである。
【０００８】
抵抗構成要素は第１の抵抗器を有し、リアクタンス構成要素は第１のコンデンサを有し、第２の回路は第１のコンデンサ及び第２の抵抗器の並列コンフィギュレーションを有し、又は抵抗構成要素は第１の抵抗器を有し、リアクタンス構成要素はインダクタを有する。第１及び第２の回路の直列コンフィギュレーションは、フェイルセーフを提供し、前記バラストが熱くなり過ぎるリスクを低減する。例えば「オープン」故障又は「ショート」故障のような、単一の構成要素の故障の場合、第１及び第２のフィラメント入力間に存在するフィラメント回路のインピーダンスは、ゼロよりも更に大きく、前記バラストは熱くなり過ぎることはない。第１の（抵抗）及び第２の（リアクタンス）回路の直列コンフィギュレーションによって、前記フィラメント回路の全インピーダンスが、
−  前記第１及び第２のフィラメント入力のうちの一方から他方まで、前記第１のフィラメント入力から前記フィラメント出力まで、及び／又は前記第２のフィラメント入力から前記フィラメント出力まで前記フィラメント回路を流れる高周波電流の振幅を制限する、
−  フィラメント回路に導入される波形の歪みを低減する、
−  前記第１及び第２のフィラメント入力間、前記第１のフィラメント入力と前記フィラメント出力との間、及び／又は前記第２のフィラメント入力と前記フィラメント出力との間のフィラメント回路の両端に存在する電圧効果を制限するために、及び／又は
−  フィラメント回路の電力の消費を縮小する、
ように最適化されることができる。
【０００９】
そして、前記直流経路は、大部分の電子バラストとの互換性を保証する。結果として、様々な判定基準のために十分に最適化されることができるフィラメント回路が創出された。このことは、大きな技術的利点である。
【００１０】
フィラメント回路の実施例が規定され、前記第１の回路は、第１の抵抗器及び第２のコンデンサの並列コンフィギュレーションを有する。
【００１１】
前記抵抗構成要素が第１の抵抗器を有し、前記リアクタンス構成要素は第１のコンデンサを有する場合、前記第２の回路は、直流経路を作成するために第１のコンデンサと並列コンフィギュレーションにおける第２の抵抗器により提供される必要がある。前記抵抗構成要素が第１の抵抗器を有し、前記リアクタンス構成要素がインダクタを有する場合、直流経路は既に存在する。何れの場合においても、前記第１の回路は、前記第１の抵抗器との並列コンフィギュレーショにおける第２のコンデンサにより拡張されることができる。
【００１２】
フィラメント回路の実施例が規定され、前記抵抗構成要素は第１の抵抗器を有し、前記リアクタンス構成要素は第１のコンデンサを有し、前記第２の回路は、第１のコンデンサ及び第２の抵抗器の並列コンフィギュレーションを有し、前記抵抗構成要素は第１の抵抗器を有し、前記リアクタンス構成要素は第１のコンデンサを有し、前記第１の回路は第１の抵抗器及び第２のコンデンサの並列コンフィギュレーションを有し、前記第２の回路は前記第１のコンデンサ及び第２の抵抗器の並列コンフィギュレーションを有する。
【００１３】
前記フィラメント回路の実施例が規定され、前記抵抗構成要素は第１の抵抗器を有し、前記リアクタンス構成要素はインダクタを有する、又は前記抵抗構成要素は第１の抵抗器を有し、前記リアクタンス構成要素はインダクタを有し、前記第１の回路は第１の抵抗器及び第２のコンデンサの並列コンフィギュレーションを有する。
【００１４】
各第１／第２の抵抗器は、１つの抵抗器を有することができる又は如何なるコンフィギュレーションにおける２つ以上の抵抗器も有することができる。各第１の／第２のコンデンサは、１つのコンデンサを有することができる又は如何なるコンフィギュレーションにおける２つ以上のコンデンサも有することができる。各インダクタは１つのインダクタを有することができる、又は如何なるコンフィギュレーションにおける２つ以上のインダクタも有することができる。前記第１の抵抗器は１Ωと１００Ωとの間の値を有することができ、前記第２の抵抗器は１Ωと１０００Ωとの間に値を有することができ、前記第１の／第２のコンデンサは１ｎＦと１０００ｎＦとの間に値を有することができ、前記インダクタは１μＨと１０００μＨとの間に値を有することができる。
【００１５】
第２の見地によれば、上述のようなフィラメント回路を有する装置が提供され、当該装置は更にドライバを有する。このような装置は、駆動装置を有することができる、又は光源を依然として欠いているランプを有することができる。
【００１６】
当該装置の実施例が規定され、前記第２のフィラメント回路は、
−  前記バラストの第３のバラスト出力に結合されるように構成される第３のフィラメント入力と、
−  前記バラストの第４のバラスト出力に結合されるように構成される第４のフィラメント入力と、
−  更なる抵抗構成要素を有する前記第３の回路と、
−  更なるリアクタンス構成要素を有する第４の回路と、
−  前記第３のフィラメント入力と第４のフィラメント入力との間の更なる直流経路であって、前記第３の及び第４の回路の直列コンフィギュレーションが前記更なる直流経路を有する、更なる直流経路と、
−  前記ドライバの更なるドライバ―入力に結合される更なるフィラメント出力であって、前記更なるフィラメント出力は、前記第３のフィラメント入力から又は前記第４のフィラメント入力から直接的に得られる、更なるフィラメント出力と、
を有し、
−  抵抗構成要素は第３の抵抗器を有し、前記更なるリアクタンス構成要素は第３のコンデンサを有し、前記第４の回路は前記第３のコンデンサ及び第４の抵抗器の並列コンフィギュレーションを有する、又は
−  前記更なる抵抗構成要素は第３の抵抗器を有し、前記更なるリアクタンス構成要素は更なるインダクタを有する。
【００１７】
更なる実施例において、前記第３の回路は前記第３の抵抗器及び第４のコンデンサの並列コンフィギュレーションを有する。
【００１８】
各第３／第４の抵抗器は、１つの抵抗器を有することができる又は如何なるコンフィギュレーションの２つ以上の抵抗器も有することができる。各第３の／第４のコンデンサは、１つのコンデンサを有することができる又は如何なるコンフィギュレーションの２つ以上のコンデンサも有することができる。各更なるインダクタは、１つのインダクタを有することができる、又は如何なるコンフィギュレーションの２つ以上のインダクタも有することができる。前記第３の抵抗器は１Ωと１００のΩとの間の値を有することができ、前記第４の抵抗器は１つのΩと１０００のΩの間の値を有することができ、前記第３の／第４のコンデンサは１ｎＦと１０００ｎＦとの間の値を有することができ、前記更なるインダクタは１μＨと１０００μＨの間に値を有することができる。
【００１９】
前記第１の抵抗器及び前記第３の抵抗器は、類似の値を有しても有さなくても良い。前記第２の抵抗器及び前記第４の抵抗器は、類似の値を有しても有さなくても良い。前記第１のコンデンサ及び前記第３のコンデンサは、類似の値を有しても有さなくても良い。前記第２のコンデンサ及び前記第４のコンデンサは、類似の値を有しても有さなくても良い。前記インダクタ及び前記更なるインダクタは、類似の値を有しても有さなくても良い。前記第１及び第２のフィラメント回路は、類似の回路であってもなくてもよい。
【００２０】
第３の見地によれば、上述で規定したフィラメント回路を有すると共に、前記ドライバ及び前記光源の１つ以上を更に有するランプが提供される。このようなランプは前記光源のない前記ドライバを有することができ、又は前記ドライバのない前記光源を有することができ、又は前記ドライバ及び前記光源の両方を有することができる。
【００２１】
第４の見地によれば、上述で規定した前記フィラメント回路を有すると共に前記光源を更に有するランプであって、前記光源が発光ダイオード回路を有するランプが提供される。
【００２２】
発光ダイオード回路は、如何なる種類の及び如何なるコンフィギュレーションの１つ以上の発光ダイオードも有する。
【００２３】
基本的な着想は、フィラメント回路が、抵抗構成要素を有する前記第１の回路及びリアクタンス構成要素を有する第２の回路の直列コンフィギュレーションの一部として、自身のフィラメント入力間に直流経路を有さなければならないことである。
【００２４】
改善されたフィラメント回路を提供するための問題は、解決された。更なる利点は、安全性が前記ランプ及び前記バラストの組合せに対して提供されることができ、電子バラストにより生成される高周波電流の振幅は制限されることができ、波形の歪みは低減されることができ、電圧降下が制限されることができ、電力消費が低減されることができ、大部分の電子バラストとの互換性が保証されることができることにある。
【００２５】
本発明のこれら及び他の見地は、以下に記載されている実施例を参照して明らかになり解説されるであろう。
【図面の簡単な説明】
【００２６】
【図１】従来技術のランプを示している。
【図２】ランプの実施例を示している。
【図３】フィラメント回路の一般的な実施例を示している。
【図４】フィラメント回路の第１の実施例を示している。
【図５】フィラメント回路の第２の実施例を示している。
【図６】フィラメント回路の第３の実施例を示している。
【図７】フィラメント回路の第４の実施例を示している。
【図８】波形を示している。
【発明を実施するための形態】
【００２７】
図１において、従来技術のランプが示されている。従来技術のランプ５００は、抵抗器１００の形態における第１のフィラメント回路と、抵抗器２００の形態における第２のフィラメント回路とを有する。抵抗器１００の両側は、バラスト６の第１及び第２のバラスト出力に結合され、抵抗器２００の両側は、バラスト６の第３及び第４のバラスト出力に結合される。抵抗器１００の当該側部のうちの１つ及び抵抗器２００の当該側部のうちの１つは、場合によってはドライバを含んでいる光源４００に結合される。バラスト６のバラスト入力は、本線のような供給源に結合されるように構成される。
【００２８】
代替的には、従来技術の駆動回路は、非直流ランプ器具内で直流ランプに給電するように米国特許第２０１２／０３０６４０３号において示されている。この駆動回路は、各々が２つの直列抵抗器又は２つの直列コイルからなる２つのフィラメント回路を有し、直列抵抗器間又は直列コイル間の相互接続は、フィラメント出力を形成する。
【００２９】
図２において、ランプの実施例が示されている。ランプ５は、例えば第１のフィラメント回路のようなフィラメント回路１と、第２のフィラメント回路２と、ドライバ３と、例えば発光ダイオード回路のような光源４とを有する。フィラメント回路１の第１のフィラメント入力は、バラスト６の第１のバラスト出力に結合され、フィラメント回路１の第２のフィラメント入力はバラスト６の第２のバラスト出力に結合されている。フィラメント回路１のフィラメント出力は、ドライバ３のドライバ入力に結合されている。第２のフィラメント回路２の第３のフィラメント入力は、バラスト６の第３のバラスト出力に結合され、第２のフィラメント回路２の第４のフィラメント入力は、バラスト６の第４のバラスト出力に結合されている。第２のフィラメント回路２の更なるフィラメント出力は、ドライバ３の更なるドライバ入力に結合されている。ドライバ３は、光源４を駆動するように構成されている。ランプ５は、例えば電子部品バラストのような、バラスト６を介して給電されるように構成されている。バラスト６のバラスト入力は、本線のような供給源に結合されるように構成されている。ランプ５は、例えば、蛍光管と置き換わるためのレトロフィット管を含み得る一方で、元々このような蛍光管と組み合わせて使用されるように設計されていたバラスト６を保持している。
【００３０】
図３において、フィラメント回路の一般的な実施例が示されている。このフィラメント回路１は、バラスト６の第１のバラスト出力に結合されるように構成された第１のフィラメント入力１１と、バラスト６の第２のバラスト出力に結合されるように構成される第２のフィラメント入力１２とを有する。フィラメント回路１は、更に、第１のフィラメント入力１１に結合される第１の回路１３と、第２のフィラメント入力１２に結合される第２の回路１４とを有する。第１の回路１３は抵抗構成要素を有し、第２の回路１４はリアクタンス構成要素を有する。直流経路が、第１のフィラメント入力１１と第２のフィラメント入力１２との間にある。第１及び第２の回路１３、１４の直列コンフィギュレーションは、この直流経路を有する。フィラメント回路１は、更に、ドライバ３のドライバ入力に結合されるように構成されるフィラメント出力１５を有する。
【００３１】
上側の図において、フィラメント出力１５は、第１のフィラメント入力１１により形成される。中央の図において、フィラメント出力１５は、第１及び第２の回路１３、１４間の相互接続により形成されている。下側の図において、フィラメント出力１５は、第２のフィラメント入力１２により形成される。
【００３２】
図４において、フィラメント回路の第１の実施例が示される。図３に関して議論される抵抗構成要素は第１の抵抗器１６を有し、図３に関して議論されるリアクタンス構成要素は、第２の抵抗器１８に並列に結合される第１のコンデンサ１７を有する。上側の図において、フィラメント出力１５は、第１のフィラメント入力１１により形成される。中央の図において、フィラメント出力１５は、第１の抵抗器１６と、第１のコンデンサ１７及び第２の抵抗器１８の並列コンフィギュレーションとの間の相互接続により形成される。下側の図において、フィラメント出力１５は、第２のフィラメント入力１２により形成される。
【００３３】
第１のコンデンサ１７及び第２の抵抗器１８の並列コンフィギュレーションは、直流経路が存在するように、直流電流が第２の回路１４を流れることを可能にする。好ましくは、フィラメント回路１は、第１の抵抗器１６、第１のコンデンサ１７及び第２の抵抗器１８のみを有し、これにより各抵抗器１６、１８は、１つの抵抗器によって又は如何なるコンフィギュレーションにおける２つ以上の抵抗器によっても実現されることができ、これにより各コンデンサ１７は、如何なる種類の１つのコンデンサによっても又は如何なる種類の如何なるコンフィギュレーションにおける２つ以上のコンデンサによっても実現されることができる。
【００３４】
図５において、フィラメント回路の第２の実施例が示されている。この第２の実施例は、第１の回路１３において、第１の抵抗器１６が第２のコンデンサ１９と並列に結合されている点において、前記第１の実施例と異なる。第１の抵抗器１６及び第２のコンデンサ１９の並列コンフィギュレーションは、直流経路が存在するように、直流電流が第１の回路１３を流れることを可能にする。好ましくは、フィラメント回路１は、第１の抵抗器１６、第１のコンデンサ１７、第２の抵抗器１８及び第２のコンデンサ１９のみを有し、これにより各抵抗器１６、１８は１つの抵抗器によって又は如何なるコンフィギュレーションの２つ以上の抵抗器によっても実現されることができ、これにより各コンデンサ１７、１９は、如何なる種類の１つのコンデンサによっても又は如何なる種類の如何なるコンフィギュレーションにおける２つ以上のコンデンサによっても実現されることができる。
【００３５】
図４に示される第１の実施例は、図５に示される第２の実施例と比較して、より少ない要素を有する。図５に示される第２の実施例は、図４に示された第１の実施例と比較して、低減された（高周波）電力消費を有する。
【００３６】
図６において、フィラメント回路の第３の実施例が示される。図３に関して議論される抵抗構成要素は第１の抵抗器１６を有し、図３に関して議論されるリアクタンス構成要素はインダクタ２０を有する。上側の図において、フィラメント出力１５は、第１のフィラメント入力１１により形成される。中央の図において、フィラメント出力１５は、第１の抵抗器１６とインダクタ２０との間の相互接続により形成される。下側の図において、フィラメント出力１５は、第２のフィラメント入力１２により形成される。
【００３７】
インダクタ２０は、直流経路が存在するように、ＤＣ電流が第２の回路１４を流れることを可能にする。好ましくは、フィラメント回路１は、第１の抵抗器１６及びインダクタ２０のみを有し、これにより各抵抗器１６は、１つの抵抗器によっても又は如何なるコンフィギュレーションにおける２つ以上の抵抗器によっても実現されることができ、これにより各インダクタ２０は、如何なる種類の１つのインダクタによっても又は如何なる種類の如何なるコンフィギュレーションにおける２つ以上のインダクタによっても実現されることができる。
【００３８】
図７においては、フィラメント回路の第４の実施例が示される。この第４の実施例は、第１の回路１３において、第１の抵抗器１６が第２のコンデンサ１９に並列に結合されるという点で、第３の実施例と異なる。第１の抵抗器１６及び第２のコンデンサ１９の並列コンフィギュレーションは、直流経路がここに存在するように、ＤＣ電流が第１の回路１３を流れることを可能にする。好ましくは、フィラメント回路１は、第１の抵抗器１６、第２のコンデンサ１９及びインダクタ２０のみを有し、各抵抗器１６は、１つの抵抗器によって又は如何なるコンフィギュレーションの２つ以上の抵抗器によっても実現されることができ、これにより各コンデンサ１９は、如何なる種類の１つのコンデンサによっても又は如何なる種類における如何なるコンフィギュレーションにおける２つ以上のコンデンサによっても実現されることができ、これにより各インダクタ２０は、如何なる種類の１つのインダクタによっても又は如何なる種類の如何なるコンフィギュレーションにおける２つ以上のインダクタによっても実現されることができる。
【００３９】
図６に示される第３の実施例は、図７に示される第４の実施例と比較して、より少ない要素を有する。図７に示される第４の実施例は、図６に示される第３の実施例と比較して低減された（高周波）電力消費を有する。
【００４０】
図３、４、５、６及び７において、フィラメント出力１５は、第１のフィラメント入力１１によって、第１及び第２の回路１３、１４間の相互接続によって、又は第２のフィラメント入力１２によって形成されることができる。つまりフィラメント出力１５は、第１のフィラメント入力１１、第１及び第２の回路１３、１４間の相互接続又は第２のフィラメント入力１２から得られることが可能である、及び／又は第１のフィラメント入力１１、第１及び第２の回路１３、１４間の相互接続又は第２のフィラメント入力１２を有することができる、及び／又は第１のフィラメント入力１１、第１及び第２の回路１３、１４間の相互接続又は第２のフィラメント入力１２に結合されることができる、及び／又は第１のフィラメント入力１１、第１及び第２の回路１３、１４間の相互接続又は第２のフィラメント入力１２に接続されることができる。又は、第１のフィラメント入力１１、第１及び第２の回路１３、１４間の相互接続又は第２のフィラメント入力１２はフィラメント出力１５を有することができる、及び／又はフィラメント出力１５にフィラメント出力１５に結合されることができる、及び／又はフィラメント出力１５にて及び／又はフィラメント出力１５に接続されることができる。
【００４１】
図８において、波形が示されている（垂直軸：上方向において増大する電力消費、水平軸：（調光状態において）左から右に増大する光強度）。Ｒにより示される上側のグラフは、純粋な抵抗フィラメント回路の形態における従来技術のフィラメント回路の電力消費と対応する。ＲＣＲにより示される下側のグラフは、図４に示されるようなフィラメント回路１における電力消費と対応する。調光状態において、電子バラストにより生成される信号の周波数は、光出力が減少する場合、増大する。明らかに、このような調光状態において、従来技術のフィラメント回路と比較して、フィラメント回路１の電力消費は非常に低減される。このことは、フィラメント回路のリアクタンス構成要素が抵抗構成要素における電力消費を低減するという事実によるものである。抵抗器に並列において結合されるコンデンサの場合、高周波電流に対して、前記コンデンサは縮小されたインピーダンスを有し、これにより抵抗器の電力消費を低減する。抵抗器に直列に結合されたインダクタの場合、高周波電流に対して、前記インダクタは増大されたインピーダンスを有し、これにより抵抗器の電力消費を低減する。
【００４２】
第１及び第２の要素は、多くの異なる仕方において、例えば間接的な仕方において及び直接的な仕方において結合されることができる。間接的に結合される場合、前記第１及び第２の要素は第３の要素を介して結合される。直接的に結合される場合、前記第１及び第２の要素は、これらの間に第３の要素を伴うことなく結合される。同様に、出力は、入力から、又は多くの異なる仕方において（例えば要素を介して間接的に又はこれらの間に要素を伴わずに直接的に）相互接続から得ることができる。
【００４３】
要約すると、バラスト６を介して給電されるランプ５のためのフィラメント回路１は、第１のバラスト出力に結合された第１のフィラメント入力１１と、第２のバラスト出力に結合された第２のフィラメント入力１２と、抵抗構成要素を有する第１の回路１３と、リアクタンス構成要素を有する第２の回路１４と、第１及び第２のフィラメント入力１１、１２間の直流経路とを有し、これにより、第１及び第２の回路１３、１４の直列コンフィギュレーションは、これらの直流経路と、ランプ５の光源４を駆動するドライバ３のドライバ―入力に結合されたフィラメント出力１５とを有する。これらのフィラメント出力１５は、第１のフィラメント入力１１、第２のフィラメント入力１２、又は第１及び第２の回路１３、１４間の相互接続と対応し得る。抵抗構成要素は、第１の抵抗器１６を有することができる。リアクタンス構成要素は、第１のコンデンサ１７及び第２の抵抗器１８の並列コンフィギュレーションを有する第２の回路１４による第１のコンデンサ１７を有することができ、リアクタンス構成要素はインダクタ２０を有することができる。第１の回路１３は、第１の抵抗器１６及び第２のコンデンサ１９の並列コンフィギュレーションを有することができる。
【００４４】
本発明は、図面及び上述において詳細に説明され記載された一方で、このような図及び説明は例示的及び説明的なものであり、現敵的なものではく、本発明は開示された実施例に限定されるものではない。開示された実施例に対する他の変更は、添付の図面、本明細書及び添付の特許請求の範囲の研究から、前記請求に記載の発明を実施する際に当業者により理解され遂行されることができる。添付の請求項において、「有する」なる語は他の要素又はステップを排除するものではなく、単数形は複数形を排除するものではない。特定の手段が、相互に異なる従属請求項において引用されているという単なる事実は、これらの手段の組み合わせが有利になるように使用されることができないと示すものではない。添付請求項における如何なる符号も、この範囲を制限するものとしてみなしてはならない。
【図１】
0006758311.tif 000002
【図２】
0006758311.tif 000003
【図３】
0006758311.tif 000004
【図４】
0006758311.tif 000005
【図５】
0006758311.tif 000006
【図６】
0006758311.tif 000007
【図７】
0006758311.tif 000008
【図８】
0006758311.tif 000009